(57)【要約】  携帯電話機用ハンズフリーキットは、ＲＤＳ生成回路を含む回路がカーラジオのアンテナ入力への接続のためのアンテナ出力を有するため、カーラジオのスピーカへ電話を伝えるためにＲＤＳ信号を使用し、前記回路は外部アンテナに接続されたアンテナ入力を有する。回路には優先順位付け回路が配置され、そのため、カーラジオへ電話を伝えるＲＤＳ信号は常に最優先順位を有する一方、他の信号はより低い優先順位を有する。カーラジオがオフに切換えられている際もＲＤＳ信号は伝えられる。回路はさらに、カーラジオとヘッドセットとの間で電話が切換えられるように切換回路を含んでおり、ヘッドセットはブルートゥース通信リンクを介してハンズフリーキットに好都合に接続されてもよい。回路をカーラジオのアンテナコネクタに結合することによってカーラジオへの結合が行なわれ、一方、車の外部無線アンテナは回路のアンテナ入力に結合されるため、この発明は、車に特に後で設置しやすい携帯ハンズフリーキットを提供する。
2007507135.tif 000002
【特許請求の範囲】
【請求項１】
携帯電話機用ハンズフリーキットであって、携帯電話機とスピーカを有するカーラジオとの間に結合された回路を含み、前記回路は、カーラジオが能動状態であるか受動状態であるかにかかわらず、携帯電話機への電話時に情報を携帯電話機からカーラジオのスピーカへ伝えるようになっており、前記回路は、カーラジオのアンテナ入力にアンテナコネクタを介して接続されたＲＤＳ生成回路を含み、
前記ハンズフリーキットは、
ＲＤＳ生成回路に優先順位付け回路が配置され、そのため、カーラジオのスピーカに伝えられる情報は、携帯電話機への電話を含むＲＤＳ信号が常に最優先順位を有するように優先順位付けされることを特徴とする、ハンズフリーキット。
【請求項２】
ＲＤＳ生成回路は、外部アンテナの接続のためのアンテナ入力を有することを特徴とする、請求項１に記載のハンズフリーキット。
【請求項３】
回路は、携帯電話機の電話をカーラジオとヘッドセットとの間で切換えるためのスイッチに入力を介して結合されている制御回路を追加で有することを特徴とする、請求項１−２に記載のハンズフリーキット。
【請求項４】
ヘッドセットは、たとえばブルートゥースまたはＤＥＣＴなどの短距離通信リンクを介して回路に配線されているかまたは無線接続されていることを特徴とする、請求項１−３に記載のハンズフリーキット。
【請求項５】
回路は、携帯電話機ホルダを介して携帯電話機に接続されているインターフェイス回路を含むことを特徴とする、請求項１−４に記載のハンズフリーキット。
【請求項６】
インターフェイス回路は、ブルートゥースタイプなどの短距離通信リンクを介して携帯電話機ホルダに接続されていることを特徴とする、請求項５に記載のハンズフリーキット。
【発明の詳細な説明】
【技術分野】
【０００１】
この発明は、携帯電話機用ハンズフリーキットであって、携帯電話機とスピーカを有するカーラジオとの間に結合された回路を含み、前記回路は、カーラジオが能動状態であるか受動状態であるかにかかわらず、携帯電話機への電話時に情報を携帯電話機からカーラジオのスピーカへ伝えるようになっており、前記回路は、カーラジオのアンテナ入力にアンテナコネクタを介して接続されたＲＤＳ生成回路を含む、携帯電話機用ハンズフリーキットに関する。
【背景技術】
【０００２】
携帯電話機のユーザが車の運転中に電話をする際および電話に出る際に手を使って自分の携帯電話機を使用することに起因する注意散漫によって起こる事故の危険を減らす目的で、いわゆるハンズフリー電話機キットが今日提供されている。携帯電話機がカーラジオのスピーカに結合されているため、ユーザは携帯電話機を電話機ホルダに置いたままで依然として会話をすることができる。
【０００３】
加えて、携帯電話機に接続されているマイクが、ユーザの頭部の近く、たとえば車の天井に配置されてもよい。
【０００４】
一般に、これらのシステムは後で設置されなければならず、さらに、構造がかなり複雑であり、たとえば携帯電話機を別の機種または別のメーカーに交換することが、ハンズフリーキット全体を交換しなければならないことを意味し得るため、柔軟性があまりない。
【０００５】
したがって、より柔軟性があり、単純である一方、複雑なキットと同じ快適性を有するハンズフリーキットを製造することが試みられてきた。そのようなそれほど複雑ではなく柔軟性のあるハンズフリーキットの一例は、たとえば、携帯電話機がＲＤＳ信号を用いて携帯電話機への電話をさらに携帯ラジオへ渡すという公開ＥＰ特許出願第９２０  １７０
Ａ２号の記載から公知である。
【０００６】
上述のシステムは、携帯電話機に電話がかかるや否や、カーラジオ、およびおそらくはその追加ユニット、たとえばカセットプレーヤまたはＣＤがオフに切換えられるように動作する。さらに、カーラジオおよびその追加ユニットがオフに切換えられている場合でも、電話が受信されてもよい。
【０００７】
そのようなハンズフリーキットの利点は、携帯電話機がホルダに載置されたままで動作され得ること、さらには、携帯電話機への、または携帯電話機からの電話が、カーラジオによる無線信号の受信を上回る優先順位を有することである。
【０００８】
このように、携帯電話機への、または携帯電話機からの電話の優先順位付けが実行され、それは車内での携帯電話機の使用に関連してまさしく望ましい。
【発明の開示】
【発明が解決しようとする課題】
【０００９】
上述のＥＰ公開では、交通情報として着信したＲＤＳ信号の受信中に携帯電話機に電話がかかってきた場合に何が起こるかについて、開示も示唆もされていない。
【００１０】
したがって、この発明の目的は、携帯電話機の電話に由来するＲＤＳ信号が優先順位を有するハンズフリーキットを提供することである。
【課題を解決するための手段】
【００１１】
この発明の目的は、請求項１の導入部に定義された種類のハンズフリーキットであって、ＲＤＳ生成回路に優先順位付け回路が配置され、そのため、カーラジオのスピーカに伝えられる情報は、携帯電話機への電話を含むＲＳＤ信号が常に最優先順位を有するように優先順位付けされることを特徴とするハンズフリーキットによって、達成される。
【００１２】
このように、携帯電話機が常に最優先順位を有することが確実とされ、それは人によっては非常に重要である。
【００１３】
言い換えれば、携帯電話機に伝えられる信号の種類間での対立が回避され、それは、ユーザが自分の携帯電話機をその電話機ホルダから取外すことによって電話に出ようとしないことを確実にする。
【００１４】
この優先順位付けを確実にするため、請求項２に述べるようにＲＤＳ生成回路が外部アンテナの接続のためのアンテナ入力を有する場合、それは一利点であり、それにより、交通情報などに関与するＲＤＳ信号がＲＤＳ生成回路において捉えられ、そこで優先順位を与えられ得る。
【００１５】
便宜上、請求項３に述べるように、回路は、携帯電話機の電話をカーラジオとヘッドセットとの間で切換えるためのスイッチに入力を介して結合されている制御回路を追加で有し、このため、個人的な性質の電話がカーラジオのスピーカからヘッドセットへ迅速に切換えられ得るという利点を達成する。
【００１６】
請求項４に述べるように、ヘッドセットがブルートゥース（Bluetooth）などの短距離通信リンクを介して回路に接続されている場合には、ブルートゥース技術を用いたヘッドセットの使用がまだ意図されていない携帯電話機を、ブルートゥース技術を用いて使用してもよいことが、確実となる。
【００１７】
この発明に従ったハンズフリーキットを、任意の所与の携帯電話機に、機種またはメーカーに関係なく容易に結合することを達成するのを目的として、請求項５に述べるように、回路が、携帯電話機ホルダを介して携帯電話機に接続されているインターフェイス回路を含む場合、それは一利点である。
【００１８】
この容易な結合は、請求項６に述べるように、インターフェイス回路がブルートゥースタイプなどの短距離通信リンクを介して携帯電話機ホルダに接続されている場合、追加で確実となる。
【発明を実施するための最良の形態】
【００１９】
ここでこの発明を、図面を参照してより十分に説明する。
図１に示すように、それは３つのセクションに分割され、それらの各々はＩ、ＩＩ、およびＩＩＩで表わされている。
【００２０】
第１のセクションは携帯電話機１を含み、それは電話機ホルダ２に配置されてもよい。第２のセクションは電気回路７を含み、以下に説明されるようにいくつかのユニットがそれに接続される。一方、最後のセクションは、とりわけ電気回路７に接続されるカーラジオ２３を含んでいる。
【００２１】
携帯電話機１は、一般にブラケット３によって車（図示せず）に取付けられてもよい電話機ホルダ２に置かれてもよい。
【００２２】
ホルダ２は、それに結合された外部マイク４を、必ずしも必要ではないが有しており、マイク４は、携帯電話機１がホルダ２に置かれている場合に、最適な音響再生を確実にする。
【００２３】
セクションＩＩに示すように、電気回路は、１１、１２、１３および１４で表わされる４つのサブ回路からなる。
【００２４】
サブ回路１１にはスイッチ８が接続され、一方、サブ回路１２にはコネクタ６が設けられ、それに、電話機ホルダのコネクタ２５に接続された、配線を有するコネクタ５が接続されてもよい。一般に、配線およびコネクタは、ブルートゥースタイプなどの短距離通信リンクによって有利に置き換えられてもよい。
【００２５】
サブ回路１２については、通信信号が以下に説明するように回路７での処理のために伝えられるよう、携帯電話機１は電気コネクタ２４を介して電話機ホルダ２の電気コネクタ２５に接続される。
【００２６】
携帯電話機のバッテリを、ホルダ２に配線された車のバッテリ（図示せず）によって充電することも可能である。
【００２７】
最後に、車のドライバの近くに配置され得るマイク１０が、サブ回路１２に接続される。
【００２８】
サブ回路１３については、セクションＩＩＩの図示されたカーラジオ２３上のアンテナ入力への接続が、サブ回路１３上の出力からのコネクタ１５および１６によって確立される。
【００２９】
さらに、セクションＩＩＩには外部アンテナ２２が示されており、それは、車に、または窓、通常後部の窓に搭載されたアンテナであってもよい。このアンテナは、コネクタ１７、１８、１９、２０および配線２１を介して、サブ回路１３上のアンテナ入力に結合される。
【００３０】
最後に、電話が受信されると、カーラジオまたはその接続されたユニット、たとえばＣＤまたはテープがオフに切換えられるよう、サブ回路１３は自動切換機能を行なう。
【００３１】
次に、図示されたセットアップがどのように動作するかを説明する。セットアップにおいて、カーラジオのスピーカへの３種類の信号転送、すなわち、
・通常の無線受信、またはＣＤもしくはテープの再生
・道路情報または警告を含むＲＤＳ信号
・ＲＤＳ信号によって守られている（flanked）電話
が起こることを仮定する。
【００３２】
回路は、サブ回路１３がこれら３種類の信号を、携帯電話機への電話が常に他の信号を上回る一番目の優先順位を有し、一方、無線信号、またはＣＤもしくはテープからの信号は常に二番目の優先順位を有するように優先順位付けするよう設計される。システムは、ＲＤＳ機能がオフに切換えられる場合、電話信号が依然として受信可能であるよう構成される。
【００３３】
この発明に従ったセットアップの柔軟性はまた、携帯電話機１をホルダ２から取外すことなく、ドライバがスイッチ８に影響を及ぼすだけで、その後電話がブルートゥースモジ
ュールに結合され得るヘッドセットに伝わり、ドライバは個人的な会話を行なうことができる、という利点も有する。
【００３４】
さらに好都合な一実施例では、ヘッドセットはカーラジオまたはＣＤもしくはテープを聴くためにも使用されてもよく、そのため乗客が聴かざるを得ない状態を回避し、それは夜に長距離走行する場合、および特に車内に子供がいる場合に利点であり得る。
【００３５】
セットアップのいくつかの重要な機能性を上に述べたが、もちろん、セットアップを他の要望に合わせることも可能である。
【００３６】
サブ回路１４にヘッドセット９が、好ましくはブルートゥースまたはＤＥＣＴタイプの短距離通信リンクによって接続される。さらに、サブ回路１４にマイク１０が接続される。
【００３７】
サブ回路１１、１２、１３および１４の機能を次に説明する。
サブ回路１１は、カーラジオ２３からヘッドセット９へ電話を切換えることを可能にする制御回路であり、ユーザは単にスイッチ８を押すだけでこの切換を行なうことができる。これにより、ユーザは会話を、車内で乗客に「利用可能」なものから、より個人的な性質のものへ迅速に変えてもよい。
【００３８】
サブ回路１４は、ヘッドセット９に無線接続を提供するブルートゥース無線モジュールであってもよい。
【００３９】
サブ回路１２は、他のサブ回路１１、１３および１４を、機種またはメーカーに関係なくさまざまな携帯電話機に合わせることを可能にするインターフェイス回路である。サブ回路１２については、回路７全体に動力を供給するための、かつ携帯電話機１を充電するための車のバッテリへの接続が追加で提供されてもよい。
【００４０】
コネクタ６、アンテナ２２、およびカーラジオ２３は図２にも示されている。図に示すように、コネクタ６は、ＦＭ変調器／ミキサ２６に、および電話検出器に結合されている。電話検出器２７の出力から信号がＲＤＳ生成器に供給され、それはＲＤＳ信号を生成し、その信号はＦＭ変調器／ミキサ２６でＦＭ信号と混合される。さらに、電話検出器の出力から信号がリレー２８に供給され、リレー２８は、ＦＭ変調器／ミキサ２６とアンテナ２２との間でカーラジオ用の信号を切換えるようになっており、ＦＭ変調器／ミキサ２６の出力に信号が現われると、アンテナ２２が接地されるようになっている。
【００４１】
リレー２８は以下のように動作する。
便宜上、リレーの端子をｓ、ｔ、ｕ、ｖ、ｘおよびｙで示す。カーラジオがリッスンモードになっている場合、端子ｓと端子ｔが接続され、端子ｕと端子ｘとが接続される。携帯電話機を介して会話が行なわれる場合、端子ｓと端子ｙとが接続され、端子ｖと端子ｘとが接続される。
【００４２】
ここで、携帯電話機への電話の優先順位付けがいかに提供されるかを説明する。
携帯電話機に電話がかかると、音声信号がコネクタ６に伝えられ、さらにＦＭ変調器／ミキサ２６に供給され、そこで音声信号はＦＭ信号に変換される。電話検出器２７はリレー２８のための制御信号を生成し、リレー２８は、アンテナ２２が接地され、一方、ＲＤＳ信号と混合されたＦＭ変調器／ミキサ２６からの信号がカーラジオ２３に伝えられるように切換える。会話が終了すると、電話検出器２７からの信号は消滅し、それによりリレー２８はここで、上述のようにアンテナ２２をカーラジオ２３に接続するようになる。
【図面の簡単な説明】
【００４３】
【図１】この発明に従ったハンズフリーキットの基本構造を示す図である。
【図２】携帯電話機への電話の優先順位付けがどのように実行されるかを示す図である。
【図１】
2007507135.tif 000003
【図２】
2007507135.tif 000004
【手続補正書】
【提出日】平成17年2月9日(2005.2.9)
【手続補正１】
【補正対象書類名】特許請求の範囲
【補正対象項目名】全文
【補正方法】変更
【補正の内容】
【特許請求の範囲】
【請求項１】
携帯電話機（１）用ハンズフリーキットであって、携帯電話機とスピーカを有するカーラジオ（２３）との間に結合された回路を含み、前記回路は、カーラジオが能動状態であるか受動状態であるかにかかわらず、携帯電話機への電話時に情報をＦＭ変調器／ミキサ（２６）を介して携帯電話機からカーラジオのスピーカへ伝えるようになっており、前記回路は、ＦＭ変調器／ミキサ（２６）に接続されたＲＤＳ生成回路（３１）を含み、それはアンテナコネクタを介してカーラジオのアンテナ入力に接続され、
前記ハンズフリーキットは、
アンテナコネクタが、ＦＭ変調器／ミキサ（２６）の出力に信号が現われるとアンテナが接地されるように、カーラジオ用の信号をＦＭ変調器／ミキサ（２６）とアンテナ（２２）との間で切換えるようになっているリレー（２８）からなることを特徴とする、ハンズフリーキット。
【請求項２】
ＲＤＳ生成回路（３１）は、電話検出器（２７）からの出力から供給され、前記電話検出器は、ＦＭ変調器／ミキサ（２６）の入力にも接続されているコネクタ（６）からの出力から供給されることを特徴とする、請求項１に記載のハンズフリーキット。
【請求項３】
回路は、携帯電話機の電話をカーラジオとヘッドセットとの間で切換えるためのスイッチに入力を介して結合されている制御回路を追加で有することを特徴とする、請求項１−２に記載のハンズフリーキット。
【請求項４】
ヘッドセットは、たとえばブルートゥースまたはＤＥＣＴなどの短距離通信リンクを介して回路に配線されているかまたは無線接続されていることを特徴とする、請求項１−４に記載のハンズフリーキット。
【請求項５】
回路は、携帯電話機ホルダを介して携帯電話機に接続されているインターフェイス回路を含むことを特徴とする、請求項１−４に記載のハンズフリーキット。
【請求項６】
インターフェイス回路は、ブルートゥースタイプなどの短距離通信リンクを介して携帯電話機ホルダに接続されていることを特徴とする、請求項５に記載のハンズフリーキット。
【手続補正２】
【補正対象書類名】明細書
【補正対象項目名】０００１
【補正方法】変更
【補正の内容】
【０００１】
この発明は、携帯電話機用ハンズフリーキットであって、携帯電話機とスピーカを有するカーラジオとの間に結合された回路を含み、前記回路は、カーラジオが能動状態であるか受動状態であるかにかかわらず、携帯電話機への電話時に情報をＦＭ変調器／ミキサを介して携帯電話機からカーラジオのスピーカへ伝えるようになっており、前記回路は、ＦＭ変調器／ミキサに接続されたＲＤＳ生成回路を含み、それはアンテナコネクタを介してカーラジオのアンテナ入力に接続される、携帯電話機用ハンズフリーキットに関する。
【手続補正３】
【補正対象書類名】明細書
【補正対象項目名】００１１
【補正方法】変更
【補正の内容】
【００１１】
この発明の目的は、請求項１の導入部に定義された種類のハンズフリーキットであって、アンテナコネクタが、ＦＭ変調器／ミキサの出力に信号が現われるとアンテナが接地されるように、カーラジオ用の信号をＦＭ変調器／ミキサとアンテナとの間で切換えるようになっているリレーからなることを特徴とするハンズフリーキットによって、達成される。
【手続補正４】
【補正対象書類名】明細書
【補正対象項目名】００１４
【補正方法】変更
【補正の内容】
【００１４】
さらに、請求項２に述べるように、ＲＤＳ生成回路が電話検出器からの出力から供給され、前記電話検出器が、ＦＭ変調器／ミキサの入力にも接続されているコネクタからの出力から供給される場合、それは一利点である。
【国際調査報告】
2007507135.tif 000005
2007507135.tif 000006
2007507135.tif 000007